(57)【特許請求の範囲】
【請求項１】
液体が収容された容器本体と、
該容器本体の口部に取り付けられ、前記容器本体内から移送された液体を泡状にして吐出する吐出ポンプと、
該吐出ポンプに被せられ、該吐出ポンプから供給された泡を吐出する吐出口が形成されるとともに、前記吐出口の周りにブラシが植設されたブラシキャップと、
が備えられ、
前記ブラシキャップを押し下げることにより、前記吐出ポンプにより前記吐出口から泡が吐出される吐出容器において、
前記ブラシキャップは、前記容器本体に対して着脱可能になっており、
前記ブラシキャップに被せられ前記ブラシを収容するオーバーキャップが備えられ、
該オーバーキャップは、前記ブラシキャップが前記容器本体から取り外された状態において前記吐出ポンプの取付キャップに被着可能になっていることを特徴とする吐出容器。
【請求項２】
請求項１記載の吐出容器において、
前記容器本体に嵌められる前記ブラシキャップの外筒部の内周面には、前記容器本体の外周面又は前記吐出ポンプの取付キャップの外周面に設けられた被当接部に当接する当接部が設けられ、
該当接部及び前記被当接部のうちの少なくとも一方には、容器軸方向に対して傾斜した傾斜面が形成されていることを特徴とする吐出容器。
【請求項３】
請求項１又は２の何れか一項に記載の吐出容器において、
前記吐出口は、容器径方向外側に向けて開口していることを特徴とする吐出容器。
【請求項４】
請求項１から３の何れか一項に記載の吐出容器において、
前記吐出ポンプは、
内部を液用ピストンが上下方向に摺動する液用シリンダと、
内部を空気用ピストンが上下方向に摺動する空気用シリンダと、
前記液用シリンダからの液体と前記空気用シリンダからの空気とが合流する気液混合室と、
該気液混合室と前記吐出口を接続する連通路内に設置された発泡部材と、
が備えられ、
前記ブラシキャップを押し下げることで、前記液用ピストンが前記液用シリンダ内に押し込まれるとともに前記空気用ピストンが前記空気用シリンダ内に押し込まれ、前記液用シリンダ内の液体及び前記空気用シリンダ内の空気が前記気液混合室内にそれぞれ圧送されて混合され、この気液混合体が前記発泡部材を通過することで発泡されて泡となり、該泡が前記吐出口から吐出されることを特徴とする吐出容器。
【請求項５】
請求項１から４の何れか一項に記載の吐出容器において、
前記ブラシキャップは、前記吐出ポンプに被せられた前記オーバーキャップに被着可能になっていることを特徴とする吐出容器。
【発明の詳細な説明】
【技術分野】
【０００１】
本発明は、吐出容器に関するものである。
【背景技術】
【０００２】
従来から、吐出容器として、容器本体内に収容された液体を泡状にして吐出するフォーマーポンプ式の吐出容器がある。
この種の吐出容器は、容器本体の口部に吐出ポンプが取り付けられ、吐出ポンプのポンプヘッドを押し下げて液用シリンダ内の液体および空気用シリンダ内の空気を圧縮することにより、これらの液体および空気を、気液混合室に移送して合流させ、発泡部材のメッシュ体を通過させて発泡させた後、ポンプヘッドの内部に形成された連通路を通過させてノズル孔から吐出できるようになっている（例えば、特許文献１参照。）。
【０００３】
一方、従来から、ノズル孔（吐出口）の周囲にブラシが配設された構成の吐出容器が提供されている。この種の吐出容器によれば、吐出ポンプによりブラシ内に液体等が吐出され、このブラシにより液体等が塗布される（例えば、特許文献２参照。）。
【特許文献１】特開平９−１２４０６３号公報
【特許文献２】実用新案登録第２６０２０５６号公報
【発明の開示】
【発明が解決しようとする課題】
【０００４】
しかしながら、上記したブラシを有する従来の吐出容器では、ブラシを取り外すことができない構成になっている。具体的に説明すると、上記した特許文献２に開示された吐出容器では、ブラシが植設された摘みがキャップに対して固定されており、ブラシを有する摘みが取り外しできない構成になっている。このため、従来のブラシ付き吐出容器では、使用する際、容器本体に付けたままブラシで塗布することになり、塗布する箇所によって使いにくくなる場合がある。また、使用後にブラシを水洗いする際には、容器本体に付けたままブラシを洗浄することになり、洗浄しにくいという問題がある。
という問題が存在する。
【０００５】
本発明は、上記した従来の問題が考慮されたものであり、ブラシで塗布する際の使い勝手が良く、また、使用後のブラシ洗浄を行い易くすることができる吐出容器を提供することを目的としている。
【課題を解決するための手段】
【０００６】
本発明に係る吐出容器は、液体が収容された容器本体と、該容器本体の口部に取り付けられ、前記容器本体内から移送された液体を泡状にして吐出する吐出ポンプと、該吐出ポンプに被せられ、該吐出ポンプから供給された泡を吐出する吐出口が形成されるとともに、前記吐出口の周りにブラシが植設されたブラシキャップと、が備えられ、前記ブラシキャップを押し下げることにより、前記吐出ポンプにより前記吐出口から泡が吐出される吐出容器において、前記ブラシキャップは、前記容器本体に対して着脱可能になっており、前記ブラシキャップに被せられ前記ブラシを収容するオーバーキャップが備えられ、該オーバーキャップは、前記ブラシキャップが前記容器本体から取り外された状態において前記吐出ポンプの取付キャップに被着可能になっていることを特徴としている。
【０００７】
このような特徴により、ブラシキャップを押し下げると、吐出口からブラシ内に泡が吐出される。その後、その泡をブラシで必要箇所に塗布する。このとき、ブラシキャップを容器本体から取り外し、ブラシキャップだけを持って塗布することが可能である。また、使用後にブラシを洗浄するとき、ブラシキャップを容器本体から取り外した状態で洗浄することも可能である。
また、ブラシキャップを取り外した後、吐出ポンプにオーバーキャップが被せられ、吐出ポンプの少なくとも一部はオーバーキャップ内に収容される。
【０００８】
また、本発明に係る吐出容器は、前記容器本体に嵌められる前記ブラシキャップの外筒部の内周面に、前記容器本体の外周面又は前記吐出ポンプの取付キャップの外周面に設けられた被当接部に当接する当接部が設けられ、該当接部及び前記被当接部のうちの少なくとも一方が、容器軸方向に対して傾斜した傾斜面が形成されていることが好ましい。
【０００９】
これにより、ブラシキャップを取り外す際、ブラシキャップを回転させると、当接部が被当接部に当接する。このとき、当接部及び被当接部の少なくとも一方が傾斜面になっているため、そのままブラシキャップを回転させると、その傾斜面上を当接部又は被当接部が摺動し、これに伴いブラシキャップが摺り上げられる。
【００１０】
また、本発明に係る吐出容器は、前記吐出口が、容器径方向の外側に向けて開口していることが好ましい。
【００１１】
これにより、ブラシキャップを押し下げたとき、泡は、吐出口から容器径方向の外側に向けて吐出される。
【００１２】
また、本発明に係る吐出容器は、前記吐出ポンプが、内部を液用ピストンが上下方向に摺動する液用シリンダと、内部を空気用ピストンが上下方向に摺動する空気用シリンダと、前記液用シリンダからの液体と前記空気用シリンダからの空気とが合流する気液混合室と、該気液混合室と前記吐出口を接続する連通路内に設置された発泡部材と、が備えられた構成からなり、前記ブラシキャップを押し下げることで、前記液用ピストンが前記液用シリンダ内に押し込まれるとともに前記空気用ピストンが前記空気用シリンダ内に押し込まれ、前記液用シリンダ内の液体及び前記空気用シリンダ内の空気が前記気液混合室内にそれぞれ圧送されて混合され、この気液混合体が前記発泡部材を通過することで発泡されて泡となり、該泡が前記吐出口から吐出されることが好ましい。
【００１３】
これにより、ブラシキャップを押し下げたとき、容器本体内の内容物が泡となって吐出口から吐出される。
【００１６】
さらに、本発明に係る吐出容器は、前記ブラシキャップが、前記吐出ポンプに被せられた前記オーバーキャップに被着可能になっていることが好ましい。
【００１７】
これにより、洗浄後にブラシを乾燥させる際、吐出ポンプに被着されたオーバーキャップにブラシキャップが被着される。
【発明の効果】
【００１８】
本発明に係る吐出容器によれば、ブラシキャップを取り外した状態で、泡をブラシで塗布することができるので、使い勝手が良いという効果を奏する。また、使用後にブラシを洗浄する際、ブラシキャップが取り外された状態で洗浄することができるので、ブラシ洗浄が行い易いという効果を奏する。
【発明を実施するための最良の形態】
【００１９】
以下、本発明に係る吐出容器の実施の形態について、図面に基いて説明する。
図１は本実施の形態における吐出容器１の縦断面図であり、図２は本実施の形態における吐出容器１の側面図である。なお、本実施の形態では、容器本体２の底部２ｂ側（図１における下側）を下方とし、その反対側（図１における上側）を上方とする。また、図１、図２に示す符号Ｏは、吐出容器１の軸線（容器軸）を示している。
【００２０】
図１、図２に示すように、本実施の形態における吐出容器１は、液体を収容する容器本体２と、容器本体２の口部２ａに取り付けられた吐出ポンプ３と、吐出ポンプ３に被せられたブラシキャップ４と、ブラシキャップ４に被せられたオーバーキャップ５と、容器本体２に嵌められたＣリング６と、を備えている。
以下に、上記した吐出容器１の各構成部材についてそれぞれ説明する。
【００２１】
［容器本体］
容器本体２は、内部に液体が収容された有底円筒状体である。容器本体２の上端部には、外周面にネジ山が形成された雄ネジ状の口部２ａが設けられている。また、口部２ａの下方には、胴部２ｃよりも縮径された縮径部２ｄが形成されている。この縮径部２ｄの上部外周面には、側面視三角形状の被当接部２０が凸設されている。この被当接部２０の両側面には、容器軸Ｏ方向（図２における上下方向）に対して傾斜した傾斜面２１、２１が左右対称に形成されており、この傾斜面２１に、後述する当接部４９が当接される。
【００２２】
［吐出ポンプ］
図３は吐出ポンプ３を表した断面図である。
図３に示すように、吐出ポンプ３は、容器本体２内の液体を泡状にして吐出するフォーマーポンプである。この吐出ポンプ３は、取付キャップ３０と、上ステム３１と、下ステム３２と、液用ピストン３３と、液用シリンダ３４と、コイルスプリング３５と、弁部材３６と、液吐出弁３７と、空気用ピストン３８と、空気用シリンダ３９と、発泡部材４０と、を備えている。
【００２３】
取付キャップ３０は、容器本体２の口部２ａに螺着されるキャップ体であり、天壁部３０ａの外縁部から筒部３０ｂが垂設された構成からなる。筒部３０ｂは、上側が縮径された２段の筒になっている。この筒部３０ｂの上部には、オーバーキャップ５が被着可能になっている。具体的に説明すると、筒部３０ｂの上部の外径は、オーバーキャップ５の内径と略同一となっており、その外周面には、オーバーキャップ５の内周面にアンダーカット嵌合する球面形状の突起部３０ｄが形成されている。一方、筒部３０ｂの下部は、その内周面にネジ山が形成されて雌ネジ状になっている。また、天壁部３０ａの中央部分には、丸孔３０ｃが形成されている。
【００２４】
上ステム３１は、容器軸Ｏに沿って延設された略円筒形状の部材である。上ステム３１は、取付キャップ３０の丸孔３０ｃ内に挿通されており、上ステム３１の上部は、取付キャップ３０の天壁部３０ａの上方に突出されており、上ステム３１の下部は、上記天壁部３０ａの下方に突出されている。上ステム３１の内周面における上下方向の略中央部には、下方に向って段状に縮径された略円筒形状の内筒部３１ａが垂設されている。また、上ステム３１の下部の外周面には、上ステム３１の径方向外側に向けて突出されたフランジ部３１ｂが、上ステム３１の全周に亘って延設されている。また、上ステム３１には、上ステム３１の下部内周面から内筒部３１ａの外周面まで延在する溝３１ｃが形成されている。
なお、この上ステム３１の上部は、内筒部３１ａを介して後述する気液混合室１０に連通されているとともに、後述するブラシキャップ４の吐出口４７に連通されている。すなわち、上ステム３１の上部内部に、気液混合室１０と吐出口４７とを接続する連通路１２が形成されている。
【００２５】
下ステム３２は、容器軸Ｏに沿って延設された略円筒形状の部材であり、上ステム３１の下側に直列に連結されている。下ステム３２は、上側が一重筒状に形成され、下側が二重筒状に形成されている。下ステム３２の上側の上筒部３２ａは、上ステム３１の下部の内側に挿入されている。この上筒部３２ａの上端部の内側には、上ステム３１の内筒部３１ａが挿入されている。つまり、上筒部３２ａの上端部は、上ステム３１の下部と上ステム３１の内筒部３１ａとの間に嵌合されている。下ステム３２の下側の内筒部３２ｂは、上筒部３２ａよりも小径の筒部である。この内筒部３２ｂの内周面には、容器軸Ｏ方向に延在する縦溝３２ｆが形成されている。また、内筒部３２ｂの上端には、上方に向けて延設された円筒形状の弁座３２ｄが設けられている。また、下ステム３２の下側の外筒部３２ｃは、上筒部３２ａよりも大径であり、その下端には、下ステム３２の径方向外側に向けて突出されたフランジ部３２ｅが、外筒部３２ｃの外周面全周に亘って延設されている。
なお、上記した上筒部３２ａの内部が、液体と気体とを混合させる気液混合室１０になっている。
【００２６】
液吐出弁３７は、上記気液混合室１０内への液体の供給を停止させるための弁体であり、下ステム３２の弁座３２ｄ上に着座および離反可能に載せられた球状の部材である。
【００２７】
液用ピストン３３は、容器軸Ｏに沿って延設された略円筒形状の部材であり、その上端部が下ステム３２の内筒部３２ｂと外筒部３２ｃとの間に挿入されている。液用ピストン３３の内周面における上下方向の略中央部には、液用ピストン３３の内周面全周に亘って延設された環状の弁座部３３ａが、液用ピストン３３の径方向内側に向けて突設されている。この弁座部３３ａは、下ステム３２の内筒部３２ｂの下方に配設されている。また、液用ピストン３３の外周面には、液用ピストン３３の径方向外側に向けて突出されたフランジ部３３ｂが、液用ピストン３３の全周に亘って延設されている。このフランジ部３３ｂは、下ステム３２のフランジ部３２ｅの下方に配設されおり、双方のフランジ部３３ｂ、３２ｅは上下に合わせられている。
【００２８】
液用シリンダ３４は、容器軸Ｏに沿って延設された略円筒形状のものであり、液用ピストン３３の下方に配設されている。液用シリンダ３４の内側には、その上端から液用ピストン３３の下端が挿入されており、液用シリンダ３４の内部を液用ピストン３３が上下方向に摺動可能になっている。液用シリンダ３４の下部の内周面には、容器軸Ｏと平行に延びた縦リブ３４ａが形成されている。また、液用シリンダ３４の下端部は、下方に向ってテーパー状に縮径されており、その下端面は開放されている。また、液用シリンダ３４の下端には、接続筒３４ｂが垂設されており、この接続筒３４ｂには、容器本体２内の液体を吸引するためのチューブ１１が接続されている。このチューブ１１を介して、液用シリンダ３４の内部は容器本体２の内部と連通されている。
【００２９】
コイルスプリング３５は、液用ピストン３３を上方に付勢する付勢部材であり、容器軸Ｏに沿って延設されている。コイルスプリング３５は、上部が液用ピストン３３の内側に配置されるとともに、下部が液用シリンダ３４の内側に配置されており、液用ピストン３３の弁座部３３ａと後述する弁部材３６の下部弁体３６ｂとの間に介装されている。
【００３０】
弁部材３６は、液用ピストン３３及び液用シリンダ３４の内側に配置された棒状の部材である。弁部材３６の中間部は、コイルスプリング３５内に挿通されている。弁部材３６の上端部には、液用ピストン３３の弁座部３３ａに着座および離反可能な中空逆円錐状の上部弁体３６ａが形成されている。弁部材３６の下端部には、液用シリンダ３４のテーパー状の下端部に着座および離反可能な下部弁体３６ｂが形成されている。また、下部弁体３６ｂの外周面には、上記縦リブ３４ａに形成された溝の内側に嵌められる凸部３６ｃが突設されている。
【００３１】
空気用ピストン３８は、空気用シリンダ３９の内周面上を摺動する外筒部３８ａと、外筒部３８ａの内側に配設されて上方に向って段状に縮径された環状の段状天板部３８ｂと、段状天板部３８ｂの内側に配設された内筒部３８ｃと、内筒部３８ｃの外周面に嵌合されて段状天板部３８ｂの内周面と内筒部３８ｃの下部外周面との間の隙間を開閉する環状の弁体３８ｄと、が備えられている。内筒部３８ｃは、上下方向中央部分に段部３８ｅがあり、上側が小径で下側が大径の二段の筒体になっている。内筒部３８ｃの上部は、上ステム３１の下端部と下ステム３２の上筒部３２ａとの間に挿入され、内筒部３８ｃの下部は、下ステム３２の外筒部３２ｃに嵌められている。なお、内筒部３８ｃの上部内周面と下ステム３２の上筒部３２ａ外周面との間に、及び、内筒部３８ｃの下部内周面と下ステム３２の外筒部３２ｃ外周面との間には、それぞれ隙間が開けられている。一方、弁体３８ｄの外周面には、弾性変形可能な環状のバネ部３８ｆが全周に亘って突設されており、このバネ部３８ｆの先端部は段状天板部３８ｂの下面に密接されている。
【００３２】
空気用シリンダ３９は、容器軸Ｏに沿って延設された有底略円筒形状のものであり、取付キャップ３０の内側に取り付けられている。この空気用シリンダ３９は、液用シリンダ３４と一体的に形成されており、空気用シリンダ３９の底面に上記液用シリンダ３４が垂設されている。空気用シリンダ３９の内部には、空気用ピストン３８が収容されており、空気用シリンダ３９の内部を空気用ピストン３８が上下方向に摺動可能になっている。
【００３３】
発泡部材４０は、気液混合室１０内で混合された気液混合体を発泡させるための部材であり、上ステム３１の内部（連通路１２内）に設置されている。発泡部材４０は、上ステム３１の上部の内側に嵌合された上下一対の発泡エレメント４０ａ、４０ｂからなる。下側に配された発泡エレメント４０ａは、筒体の下側開口面にメッシュ体４０ｃが張設された構成からなり、上側に配された発泡エレメント４０ｂは、筒体の上側開口面にメッシュ体４０ｃが張設された構成からなる。
【００３４】
［ブラシキャップ］
図１、図２に示すように、ブラシキャップ４は、容器本体２に対して着脱可能なキャップ体である。ブラシキャップ４は、吐出ポンプ３の上方に配置された天板部４１と、天板部４１の外縁部から垂設された外筒部４２と、外筒部４２の内側に配置され天板部４１の裏面から垂設された二重構造の内筒部４３と、天板部４１の上面に植設されたブラシ４４と、を備えている。
【００３５】
天板部４１の上面には、オーバーキャップ５が被着される円筒形状の周壁部４５が突設されている。周壁部４５の外径は、オーバーキャップ５の内径と略同一になっており、また、周壁部４５の外周面には、オーバーキャップ５の内周面にアンダーカット嵌合する球面形状の突起部４５ａが形成されている。
また、天板部４１の中央部分には、容器軸Ｏに沿って延在する貫通孔４６が形成されている。この貫通孔４６は、吐出ポンプ３の連通路１２に連通されている。また、貫通孔４６の上方には吐出口４７が形成されている。この吐出口４７は、容器軸Ｏ方向の上側が閉塞され、容器径方向の外側に開放された構成となっている。具体的に説明すると、貫通孔４６の上側開口部の上方には、断面形状が略逆Ｖ字形状になった蓋体４８が配設されている。この蓋体４８は、容器軸Ｏに直交する方向に延設されており、その両端はそれぞれ開口されており、この蓋体４８の両端（吐出口４７）から泡が吐出される構成になっている。
【００３６】
外筒部４２は、容器軸Ｏに沿って延設された略円筒形状のものである。外筒部４２は、天板部４１から容器本体２の縮径部２ｄの上部まで延在され、その下端部が縮径部２ｄに嵌められている。また、外筒部４２の内周面には、容器軸Ｏ方向に延在するリブ状の当接部４９が凸設されている。この当接部４９は、２本一対で設けられており、一対の当接部４９、４９の間に、容器本体２の被当接部２０が配設されている。
【００３７】
内筒部４３は、容器軸Ｏに沿って延設された略円筒形状の外周壁４３ａ及び内周壁４３ｂから構成されている。外周壁４３ａは、その下端部が吐出ポンプ３の取付キャップ３０の丸孔３０ｃ内に嵌合されている。一方、内周壁４３ｂは、上ステム３１の外側に嵌合されている。
【００３８】
ブラシ４４は、容器軸Ｏに沿って延設された多数の毛からなる。ブラシ４４は、上記周壁部４５の内側に配設されている。また、ブラシ４４は、吐出口４７の周囲に配設されている。
【００３９】
［オーバーキャップ］
オーバーキャップ５は、ブラシキャップ４に被せられブラシ４４を収容する着脱可能なキャップ体であり、ブラシ４４の上方に配置された天板部５０の外縁部から略円筒形状の筒部５１が垂設された構成からなる。筒部５１の下端は、ブラシキャップ４の周壁部４５の外側に嵌合されている。また、筒部５１の外径は、ブラシキャップ４の外筒部４２の内径よりも小さくなっている。
【００４０】
［Ｃリング］
Ｃリング６は、ブラシキャップ４が押し下げられないようにするためのストッパーであり、容器本体２の縮径部２ｄに沿って湾曲された平面視Ｃ形状の部材である。このＣリング６は、弾性変形可能になっており、容器本体２の縮径部２ｄに着脱自在に嵌められている。このＣリング６の外周面は、容器本体２の胴部２ｃの外周面及びブラシキャップ４の外筒部４２の外周面とそれぞれ略面一になっている。また、Ｃリング６の外周面には、図４に示す摘み６０が付設されている。
【００４１】
次に、上記した構成からなる吐出容器１の作用について説明する。
【００４２】
使用前の吐出容器１は、図１、図２に示すように、吐出ポンプ３にブラシキャップ４が被せられているとともに、ブラシキャップ４にオーバーキャップ５が被せられ、さらに、容器本体２の縮径部２ｄにＣリング６が嵌められている。このとき、オーバーキャップ５は、ブラシキャップ４の周壁部４５の突起部４５ａに掛止されて抜け止めされている。このような状態の吐出容器１では、ブラシキャップ４のブラシ４４がオーバーキャップ５内に収容されて保護される。また、ブラシキャップ４に下向きの力が加えられても、ブラシキャップ４はその下方のＣリング６に係止されて動かず、吐出口４７から泡が吐出されない。
【００４３】
また、使用前の吐出容器１は、コイルスプリング３５の付勢力により液用ピストン３３が押し上げられており、これにより、液用ピストン３３の弁座部３３ａに弁部材３６の上部弁体３６ａが着座されて弁座部３３ａが閉じられている。また、液用ピストン３３が押し上げられることで、液用ピストン３３の上部に連結された下ステム３２とその下ステム３２の上部に連結された上ステム３１とを介してブラシキャップ４が押し上げられ、ブラシキャップ４は上側の位置に配置されている。また、このとき、空気用ピストン３８も空気用シリンダ３９内における上側の位置に配置されており、空気用ピストン３８の内筒部３８ｃの下端は下ステム３２のフランジ部３２ｅの上面に当接され、上ステム３１の下端と空気用ピストン３８の内筒部３８ｃの段部３８ｅとの間に隙間があけられている。また、空気用ピストン３８の弁体３８ｄのバネ部３８ｆは、段状天板部３８ｂの下面に密接して段状天板部３８ｂと内筒部３８ｃとの間の隙間を閉塞している。
【００４４】
上記した構成の吐出容器１を使用する際は、図４に示すように、まず、上記したオーバーキャップ５をブラシキャップ４から取り外すとともに、Ｃリング６を容器本体２の縮径部２ｄから取り外す。具体的に説明すると、オーバーキャップ５は、ブラシキャップ４に対して上方に引っ張る。これにより、周壁部４５の突起部４５ａ及びオーバーキャップ５の筒部５１のうちの少なくとも一方が弾性変形し、周壁部４５からオーバーキャップ５が取り外される。また、Ｃリング６は、摘み６０を摘み、容器本体２に対して容器径方向の外方へ引っ張る。これにより、Ｃリング６は、弾性変形して拡径させられ、容器本体２の縮径部２ｄから取り外される。
【００４５】
次に、ブラシキャップ４を押し下げると、図３、図４に示すように、ブラシキャップ４の内周壁４３ｂに嵌合された上ステム３１が下方に向けて押圧され、上ステム３１、下ステム３２及び液用ピストン３３が一体的に押し下げられる。このとき、空気用ピストン３８は動かず、上ステム３１の下端が空気用ピストン３８の段部３８ｅに当接するところまで、上ステム３１、下ステム３２及び液用ピストン３３は押し下げられる。このように、下ステム３２が下がると、下ステム３２のフランジ部３２ｅの上面と空気用ピストン３８の内筒部３８ｃの下端との間に隙間が形成される。これにより、下ステム３２の外周面と空気用ピストン３８の内筒部３８ｃの内周面との間の隙間、及び、上ステム３１に形成された溝３１ｃからなる空気導入経路１３が形成され、この空気導入経路１３を介して空気用シリンダ３９と気液混合室１０とが連通される。
さらにこの際、液用ピストン３３の下降に伴い、弁部材３６も下方に移動させられ、この弁部材３６の下部弁体３６ｂが液用シリンダ３４のテーパー状の下端開口部に着座される。
【００４６】
そして、ブラシキャップ４がさらに下げられると、下降する上ステム３１の下端によって空気用ピストン３８の内筒部３８ｃの段部３８ｅが押圧されることで、空気用ピストン３８が下方に移動する。このとき、空気用ピストン３８の弁体３８ｄのバネ部３８ｆは、段状天板部３８ｂの下面に密接されたままの状態であり、段状天板部３８ｂと内筒部３８ｃとの隙間は閉塞されている。これにより、空気用シリンダ３９内において空気用ピストン３８の下方に位置する下室３９ａ内の空気が圧縮され、この空気が、上記した下ステム３２の外周面と空気用ピストン３８の内筒部３８ｃの内周面との間の隙間から空気導入経路１３内に流入して気液混合室１０に移送される。
【００４７】
さらにこの際、液用シリンダ３４内の下端開口部を下部弁体３６ｂで閉塞した状態で、コイルスプリング３５を圧縮変形させつつ、液用ピストン３３を下方に移動させて、弁部材３６の上部弁体３６ａを液用ピストン３３の弁座部３３ａから離反させることにより、液用シリンダ３４の内部と下ステム３２の内部とが連通される。これにより、容器本体２内からチューブ１１を介して液用シリンダ３４内に移送された液体は、弁座部３３ａを通過して下ステム３２の内筒部３２ｂ内に移送され、さらに下ステム３２の弁座３２ｄを通過して気液混合室１０内に移送される。
【００４８】
上述したように、ブラシキャップ４が押し下げられることにより、気液混合室１０内に空気及び液体がそれぞれ移送され、これらは気液混合室１０内で合流して混合される。この気液混合体は、上ステム３１の内筒部３１ａの下端から当該内筒部３１ａ内に移送され、下側の発泡エレメント４０ａのメッシュ体４０ｃおよび上側の発泡エレメント４０ｂのメッシュ体４０ｃを順次通過することで発泡させられて泡状になる。この泡は、ブラシキャップ４の貫通孔４６を通って吐出口４７からブラシ４４内に吐出される。このとき、吐出口４７は、容器径方向の外側に向けて開口されているため、泡は、容器径方向の外側に向けて吐出される。
【００４９】
その後、ブラシキャップ４の押し下げを解除すると、吐出容器１は、コイルスプリング３５の弾性復元力により押し下げ前の状態に戻り、泡の吐出が停止される。具体的に説明すると、コイルスプリング３５の弾性復元力により液用ピストン３３が上方に押し上げられる。これにより、液用ピストン３３の弁座部３３ａが弁部材３６の上部弁体３６ａに当接されて弁座部３３ａが閉じられ、気液混合室１０への液体の移送が停止される。
【００５０】
また、上昇する液用ピストン３３とともに下ステム３２、上ステム３１およびブラシキャップ４は一体的に上昇する。下ステム３２が上昇することにより、下ステム３２のフランジ部３２ｅが空気用ピストン３８の内筒部３８ｃの下端に当接され、気液混合室１０への空気の移送が停止される。また、下ステム３２のフランジ部３２ｅが空気用ピストン３８の内筒部３８ｃの下端を上向きに押圧することで、空気用ピストン３８が押し上げられる。これにより、空気用シリンダ３９における空気用ピストン３８の下方の下室３９ａ内が負圧状態となり、空気用ピストン３８の弁体３８ｄのバネ部３８ｆが下方に弾性変形させられて、段状天板部３８ｂと内筒部３８ｃとの間の隙間が開かれ、この隙間から上記下室３９ａ内に外気が流入する。
【００５１】
ところで、上記した吐出容器１は、ブラシキャップ４を下記の方法により取り外すことが可能である。
詳しく説明すると、まず、図５に示すように、ブラシキャップ４と容器本体２とを相対的に容器軸Ｏ周りに回転させる。ブラシキャップ４と容器本体２とを相対回転させると、ブラシキャップ４の当接部４９の下端部が、容器本体２の被当接部２０の傾斜面２１上を摺動し、ブラシキャップ４が摺り上げられる。これにより、ブラシキャップ４の内筒部４３の外周壁４３ａが取付キャップ３０の丸孔３０ｃ内から引き抜かれるとともに、ブラシキャップ４の内筒部４３の内周壁４３ｂが上ステム３１の上部から外される。その後、容器本体２からブラシキャップ４を外して分離させる。
なお、上記した吐出容器１では、被当接部２０の両側に当接部４９、４９が配設されているので、ブラシキャップ４と容器本体２とを容器軸Ｏ周りに何れの方向に相対回転させてもブラシキャップ４を摺り上げることが可能である。
【００５２】
また、上記した吐出容器１は、ブラシキャップ４が取り外された吐出ポンプ３にオーバーキャップ５を被せることが可能である。
詳しく説明すると、図６に示すように、ブラシキャップ４が取り外された状態において、取付キャップ３０の筒部３０ｂの上部にオーバーキャップ５を被着させる。これにより、ブラシキャップ４を取り外してブラシ４４で泡を塗布したり使用後にブラシ４４を洗浄したりするとき、ブラシキャップ４が取り外されることで露出された吐出ポンプ３の上ステム３１や取付キャップ３０の丸孔３０ｃ等がオーバーキャップ５内に収容される。また、オーバーキャップ５が容器本体２等と別々にならず、オーバーキャップ５は容器本体２等と合体された状態になる。
【００５３】
さらに、上記した吐出容器１は、吐出ポンプ３に被着されたオーバーキャップ５にブラシキャップ４を被せることが可能である。
詳しく説明すると、図６に示すように、吐出ポンプ３の取付キャップ３０にオーバーキャップ５が被着された状態において、オーバーキャップ５にブラシキャップ４を被せる。このとき、ブラシキャップ４の内筒部４３がオーバーキャップ５の天板部５０上に載置される。これにより、ブラシ４４を洗浄した後、ブラシ４４を乾燥させる際、ブラシキャップ４が容器本体２等と別々にならず、ブラシキャップ４は容器本体２等と合体された状態で乾燥される。
【００５４】
上記した吐出容器１によれば、ブラシキャップ４が着脱可能であるため、ブラシキャップ４を取り外した状態で、泡をブラシ４４で塗布することができ、使い勝手が良い。また、使用後にブラシ４４を洗浄する際、ブラシキャップ４を取り外して洗浄することができるので、ブラシ４４を洗浄し易い。
【００５５】
また、上記した吐出容器１によれば、ブラシキャップ４を取り外す際、ブラシキャップ４と容器本体２とを相対回転させることで、ブラシキャップ４の嵌合部分が外されるので、固く取り付けられたブラシキャップ４を容易に取り外すことができる。
【００５６】
また、上記した吐出容器１によれば、吐出口４７が容器径方向の外側に向けられているので、泡を広範囲に吐出させることができ、ブラシ４４全体に泡を行き渡らせることができる。
【００５７】
さらに、上記した吐出容器１によれば、ブラシキャップ４を押し下げることで、液用ピストン３３が液用シリンダ３４内に押し込まれるとともに空気用ピストン３８が空気用シリンダ３９内に押し込まれ、液用シリンダ３４内の液体及び空気用シリンダ３９内の空気が気液混合室１０内にそれぞれ圧送されて混合され、この気液混合体が発泡部材４０を通過することで発泡されて泡となり、この泡が吐出口４７から吐出される構成になっているので、ブラシキャップ４を押し下げるだけで、ブラシ４４内に泡を吐出させることが可能である。
【００５８】
また、上記した吐出容器１によれば、オーバーキャップ５が吐出ポンプ３に被着可能になっているので、ブラシキャップ４が取り外された後、オーバーキャップ５を吐出ポンプ３の取付キャップ３０に被着させることで、上ステム３１や丸孔３０ｃから吐出ポンプ３内へ水が浸入するのを防止することができる。また、上ステム３１がオーバーキャップ５内に収容されるので、上ステム３１に残留した泡の乾燥を防ぐことができ、残留した泡が固化して上ステム３１が詰まる不具合を防止することができる。さらに、取り外されたオーバーキャップ５が容器本体２等と合体されるので、オーバーキャップ５が紛失するのを防ぐことができる。
【００５９】
また、上記した吐出容器１によれば、ブラシキャップ４が上記したオーバーキャップ５に被着可能であるため、洗浄後のブラシ４４を乾燥させる際、ブラシキャップ４を容器本体２等と合体させた状態で保管することができる。これにより、ブラシキャップ４の紛失を防ぐことができる。
【００６０】
以上、本発明に係る吐出容器の実施の形態について説明したが、本発明は上記した実施の形態に限定されるものではなく、その趣旨を逸脱しない範囲で適宜変更可能である。
例えば、上記した実施の形態では、被当接部２０が容器本体２の縮径部２ｄの外周面に形成されているが、本発明は、図７に示すように、被当接部２０が吐出ポンプ３の取付キャップ３０の外周面に形成されていてもよい。
【００６１】
また、上記した実施の形態では、被当接部２０が略三角形の形状を成し、被当接部２０に傾斜面２１、２１が形成されているが、本発明は、被当接部の形状は適宜変更可能であり、例えば、容器本体２の縮径部２ｄの外周面に螺旋状の凹凸が形成された構成であってもよい。さらに、本発明は、被当接部に傾斜面が形成されてなく、ブラシキャップの内周面に設けられた当接部に傾斜面が形成されていてもよく、或いは、当接部と被当接部とにそれぞれ傾斜面が形成された構成であってもよい。例えば、容器本体２の外周面に棒状の被当接部が形成され、ブラシキャップ４の内周面に三角形状の当接部が形成された構成であってもよい。また、容器本体２の外周面に三角形状の被当接部が形成されるとともにブラシキャップ４の内周面に三角形状の当接部が形成され、それぞれの傾斜面同士が当接された構成であってもよい。
さらに、本発明は、上記した被当接部２０や当接部４９が無い構成にすることも可能である。
【００６２】
また、本発明は、図８に示すように、水浸入防止機構１００を備えた構成の吐出容器１にすることも可能である。具体的に説明すると、吐出ポンプ３の取付キャップ３０には、その天壁部３０ａから上方に向けて延びた略円筒形状の下側止水用筒部１０１が立設されている。この止水用筒部１０１の上部には、その径方向外側に突出されたフランジ部１０１ａが全周に亘って延設されている。一方、ブラシキャップ４には、その天板部４１から下方に向けて延びた略円筒形状の上側止水用筒部１０２が垂設されている。この上側止水用筒部１０２の下端部の内周面には、上側止水用筒部１０２の全周に亘って延設された環状のシーリング部材１０３が取り付けられている。このシーリング部材１０３が、上記した下側止水用筒部１０１のフランジ部１０１ａに当接されることで止水されている。なお、下側止水用筒部１０１の内側には、上ステム３１の外側に嵌合されるブラシキャップ４の内筒部１４３が挿入されている。
これにより、Ｃリング６を取り外した後、容器本体２の縮径部２ｄの外周面とブラシキャップ４の外筒部４２の内周面との間からブラシキャップ４内に水が浸入しても、下側止水用筒部１０１と上側止水用筒部１０２との間がシーリング部材１０３により止水されているので、吐出ポンプ３内への水の浸入を防止することができる。また、ブラシキャップ４が押し下げられたときであっても、取付キャップ３０の天壁部３０ａに立設された下側止水用筒部１０１によって吐出ポンプ３内への水の浸入を防ぐことができる。
【００６３】
また、上記した実施の形態では、吐出口４７が、容器径方向の外側に向けて開口されているが、本発明は、吐出口が上側に開口された構成にすることも可能である。
また、本発明は、上記した実施の形態における吐出ポンプ３に限定されず、吐出ポンプの構成は適宜変更可能である。
また、上記した実施の形態では、オーバーキャップ５が吐出ポンプ３の取付キャップ３０に被着可能になっており、このオーバーキャップ５にブラシキャップ４が被着可能になっているが、ブラシキャップがオーバーキャップ５に被着できない構成にすることも可能であり、或いは、吐出ポンプ３の取付キャップ３０に被着できないオーバーキャップを備えた構成にすることも可能であり、さらには、オーバーキャップが無い構成にすることも可能である。
【００６４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６５】
【図１】本発明の実施の形態を説明するための吐出容器の縦断面図である。
【図２】本発明の実施の形態を説明するための吐出容器の側面図である。
【図３】本発明の実施の形態を説明するための吐出ポンプの縦断面図である。
【図４】本発明の実施の形態を説明するための使用時における吐出容器の縦断面図である。
【図５】本発明の実施の形態を説明するためのブラシキャップの取り外し時における吐出容器の縦断面図である。
【図６】本発明の実施の形態を説明するためのブラシの乾燥時における吐出容器の縦断面図である。
【図７】本発明の他の実施の形態を説明するための吐出容器の縦断面図である。
【図８】本発明の他の実施の形態を説明するための吐出容器の部分拡大断面図である。
【符号の説明】
【００６６】
１  吐出容器
２  容器本体
２ａ  口部
３  吐出ポンプ
４  ブラシキャップ
５  オーバーキャップ
１０  気液混合室
１２連通路
２０  被当接部
２１  傾斜面
３０  取付キャップ
３３  液用ピストン
３４  液用シリンダ
３８  空気用ピストン
３９  空気用シリンダ
４０  発泡部材
４４  ブラシ
４７  吐出口
４９  当接部
Ｏ  容器軸
【図１】
0005081500.tif 000002
【図２】
0005081500.tif 000003
【図３】
0005081500.tif 000004
【図４】
0005081500.tif 000005
【図５】
0005081500.tif 000006
【図６】
0005081500.tif 000007
【図７】
0005081500.tif 000008
【図８】
0005081500.tif 000009